(57)【要約】【課題】所定の深度の海中層の二酸化炭素の拡散状況を正確に導出する。【解決手段】所定の深度の海中層に曳航されるデータキャリア１２の送信手段１７からの二酸化炭素のデータを曳航体５の送受波器９に送り、曳航体５の送受波器９から通信ケーブル３３を介して洋上曳航体４に二酸化炭素のデータを送信し、洋上曳航体４から無線手段７により二酸化炭素のデータを船舶１に送ることで、二酸化炭素の希釈・拡散の分布・挙動の状況を導出し、船舶１のノイズの影響を受けずに、しかも、海面近傍の波の影響を排除して、安定した状態で二酸化炭素のデータの送受信を行ない、海洋の中層であっても放出された二酸化炭素の挙動を正確に検出する。【選択図】図１
2008191111.tif 000002
【特許請求の範囲】
【請求項１】
洋上を航行する船舶と、
船舶に曳航され地球上の現在位置が把握されると共に船舶との間で通信を行なう洋上曳航体と、
所定の深度の海中に船舶から曳航され海中の二酸化炭素のデータを収集すると共に収集した二酸化炭素のデータを送信する水中応答器と、
船舶から海中に曳航され水中応答器からの二酸化炭素のデータを受信すると共に通信ケーブルを介して洋上曳航体に受信データを送信する送受信手段と、
通信ケーブルにより送受信手段から洋上曳航体に送られた二酸化炭素のデータに基づいて所定の海中層の二酸化炭素の拡散状況を導出する二酸化炭素導出手段と
を備えたことを特徴とする海中の二酸化炭素拡散検出装置。
【請求項２】
請求項１に記載の海中の二酸化炭素拡散検出装置において、
水中応答器と受信手段の通信は音響通信である
ことを特徴とする海中の二酸化炭素拡散検出装置。
【請求項３】
請求項１もしくは請求項２に記載の海中の二酸化炭素拡散検出装置において、
水中応答器が複数備えられていることを特徴とする海中の二酸化炭素拡散検出装置。
【請求項４】
請求項３に記載の海中の二酸化炭素拡散検出装置において、
水中応答器には二酸化炭素の状態を把握するためのｐＨセンサーが備えられていることを特徴とする海中の二酸化炭素拡散検出装置。
【請求項５】
請求項１〜請求項４のいずれか一項に記載の海中の二酸化炭素拡散検出装置において、
検出する二酸化炭素は、海底から海中に拡散する二酸化炭素であることを特徴とする海中の二酸化炭素拡散検出装置。
【請求項６】
請求項５に記載の海中の二酸化炭素拡散検出装置において、
検出する二酸化炭素は、二酸化炭素海底下地層貯留によって海底から漏洩した二酸化炭素であることを特徴とする海中の二酸化炭素拡散検出装置。
【請求項７】
請求項１〜請求項４のいずれか一項に記載の海中の二酸化炭素拡散検出装置において、
検出する二酸化炭素は、海洋中に海洋隔離された二酸化炭素であることを特徴とする海中の二酸化炭素拡散検出装置。
【請求項８】
洋上を航行する船舶と、
船舶に曳航され地球上の現在位置が把握されると共に船舶との間で通信を行なう洋上曳航体と、
所定の深度の海中に船舶から曳航され海中の湧水、噴出水もしくは漏洩水のデータを収集すると共に収集した湧水もしくは噴出水のデータを送信する水中応答器と、
船舶から海中に曳航され水中応答器からの湧水もしくは噴出水のデータを受信すると共に通信ケーブルを介して洋上曳航体に受信データを送信する送受信手段と、
通信ケーブルにより送受信手段から洋上曳航体に送られた湧水、噴出水もしくは漏洩水のデータに基づいて海底からの湧水、噴出水もしくは漏洩水の状況を導出する状況導出手段と
を備えたことを特徴とする海中の流体検出装置。
【請求項９】
請求項８に記載の海中の流体検出装置において、
水中応答器には海底からの湧水のラジウムの状態を把握するためのシンチレータが備えられていることを特徴とする海中の流体検出装置。
【請求項１０】
請求項８に記載の海中の流体検出装置において、
水中応答器には海底から噴出する熱水の状態を把握するための検出手段が備えられていることを特徴とする海中の流体検出装置。
【請求項１１】
請求項８に記載の海中の流体検出装置において、
水中応答器に備えられた検出手段は、熱水中や湧水中に含まれる二酸化炭素もしくは海底から漏洩する二酸化炭素を検出するためのセンサーであることを特徴とする海中の流体検出装置。
【発明の詳細な説明】
【技術分野】
【０００１】
本発明は、例えば、海洋中層に放出された二酸化炭素の拡散状況を把握するための海中の二酸化炭素拡散検出装置に関する。
【０００２】
また、本発明は、例えば、海底からの湧水もしくは噴出水の状態を把握するための海中の流体検出装置に関する。
【背景技術】
【０００３】
近年、地球温暖化の観点から、回収された二酸化炭素の海洋隔離が検討されており、二酸化炭素を海洋に隔離する場合には、放出管の形状や放出部位の圧力などを最適に決定している（例えば、下記特許文献１参照）。また、海洋中に隔離された二酸化炭素の海洋中での希釈状況や海底下地層に二酸化炭素を貯留する二酸化炭素海底下地層貯留により隔離されて漏洩した二酸化炭素の海洋中での希釈状況を解明することは二酸化炭素の効果的な隔離手法の設定や環境変化の把握につながり有用である。
【０００４】
このため、海洋中に隔離された二酸化炭素や二酸化炭素海底下地層貯留により隔離されて漏洩した二酸化炭素の拡散挙動や影響範囲を把握したり予測することが重要である。海洋において物質の流動・拡散現象の把握には、蛍光染料やブイを用いた追跡把握が有効であると考えられている。しかし、海洋の中層（例えば、１０００ｍ〜３０００ｍ程度）での追跡把握を正確に行う技術は確立されていないのが現状であり、１０００ｍ〜３０００ｍ程度の中層において二酸化炭素の拡散挙動や影響範囲は正確に把握・予測できる有効な装置が望まれているのが実情である。
【０００５】
また、海底から噴出する熱水等の状況を検出することは、海底の生物の生態系を把握することに有用である。更に、海底から湧き出る湧水中の放射線（ラドン）の状況を検出することは、地殻変動の把握に有用であり、地震予知の指標として用いることができる。更に、海底から噴出する熱水には二酸化炭素が含まれていることもあり、熱水等の二酸化炭素の拡散状況を検出することは、噴出二酸化炭素の希釈状況等を把握することに有用である。
【０００６】
しかし、二酸化炭素の海洋中や海底下地層への隔離の場合と同様に、海洋の中層での湧水や噴出水の状況の把握を正確に行う技術は確立されていないのが現状であり、１０００ｍ〜３０００ｍ程度の中層において海底からの湧水や噴出水の挙動等を把握・予測できる有効な装置が望まれているのが実情である。
【０００７】
【特許文献１】特開２０００−７０７０２号公報
【発明の開示】
【発明が解決しようとする課題】
【０００８】
本発明は上記状況に鑑みてなされたもので、海洋の中層であっても海底から湧き出たり海洋中に隔離された二酸化炭素や二酸化炭素海底下地層貯留により隔離されて漏洩した二酸化炭素の挙動を正確に検出することができる海中の二酸化炭素拡散検出装置を提供することを目的とする。
【０００９】
また、本発明は上記状況に鑑みてなされたもので、海洋の中層であっても海底から湧き出たり噴出した流体の挙動を正確に検出することができる海中の流体検出装置を提供することを目的とする。
【課題を解決するための手段】
【００１０】
上記目的を達成するための請求項１に係る本発明の海中の二酸化炭素拡散検出装置は、洋上を航行する船舶と、船舶に曳航され地球上の現在位置が把握されると共に船舶との間で通信を行なう洋上曳航体と、所定の深度の海中に船舶から曳航され海中の二酸化炭素のデータを収集すると共に収集した二酸化炭素のデータを送信する水中応答器と、船舶から海中に曳航され水中応答器からの海中の二酸化炭素のデータを受信すると共に通信ケーブルを介して洋上曳航体に受信データを送信する送受信手段と、通信ケーブルにより送受信手段から洋上曳航体に送られた二酸化炭素のデータに基づいて所定の海中層の二酸化炭素の拡散状況を導出する二酸化炭素導出手段とを備えたことを特徴とする。
【００１１】
請求項１に係る本発明では、所定の深度の海中層に曳航される水中応答器からの二酸化炭素のデータが送受信手段に送られ、送受信手段から通信ケーブルを介して洋上曳航体に二酸化炭素のデータが送信され、二酸化炭素導出手段により所定の海中層の二酸化炭素の拡散状況を導出する。送受信手段は海中に曳航されているので、船舶のノイズの影響を抑えられ、しかも、海面近傍の波の影響が排除され、安定した状態で二酸化炭素のデータの送受信を行なうことができる。
【００１２】
そして、請求項２に係る本発明の海中の二酸化炭素拡散検出装置は、請求項１に記載の海中の二酸化炭素拡散検出装置において、水中応答器と受信手段の通信は音響通信であることを特徴とする。
【００１３】
請求項２に係る本発明では、音響通信により二酸化炭素のデータの通信を行うことができる。
【００１４】
また、請求項３に係る本発明の海中の二酸化炭素拡散検出装置は、請求項１もしくは請求項２に記載の海中の二酸化炭素拡散検出装置において、水中応答器が複数備えられていることを特徴とする。
【００１５】
請求項３に係る本発明では、複数の水中応答器により二酸化炭素のデータを送ることができる。
【００１６】
また、請求項４に係る本発明の海中の二酸化炭素拡散検出装置は、請求項３に記載の海中の二酸化炭素拡散検出装置において、水中応答器には二酸化炭素の状態を把握するためのｐＨセンサーが備えられていることを特徴とする。また、二酸化炭素の分圧を測定するセンサーを併用することが好ましい。
【００１７】
請求項４に係る本発明では、ｐＨセンサーを用いて二酸化炭素の希釈・拡散の分布・挙動を検出することができる。
【００１８】
また、請求項５に係る本発明の海中の二酸化炭素拡散検出装置は、請求項１〜請求項４のいずれか一項に記載の海中の二酸化炭素拡散検出装置において、検出する二酸化炭素は、海底から海中に拡散する二酸化炭素であることを特徴とする。
【００１９】
請求項５に係る本発明では、マグマ、堆積物、海水等に由来して、海底から海中に拡散する二酸化炭素の拡散状況を検出することができる。
【００２０】
また、請求項６に係る本発明の海中の二酸化炭素拡散検出装置は、請求項５に記載の海中の二酸化炭素拡散検出装置において、検出する二酸化炭素は、二酸化炭素海底下地層貯留によって海底から漏洩した二酸化炭素であることを特徴とする。
【００２１】
請求項６に係る本発明では、海底下地層に二酸化炭素を貯留する二酸化炭素海底下地層貯留によって海底から漏洩した二酸化炭素の拡散状況を検出することができる。
【００２２】
また、請求項７に係る本発明の海中の二酸化炭素拡散検出装置は、請求項１〜請求項４のいずれか一項に記載の海中の二酸化炭素拡散検出装置において、検出する二酸化炭素は、海洋中に海洋隔離された二酸化炭素であることを特徴とする。
【００２３】
請求項７に係る本発明では、海洋中に海洋隔離された二酸化炭素の拡散状況を検出することができる。
【００２４】
上記目的を達成するための請求項８に係る本発明の海中の流体検出装置は、洋上を航行する船舶と、船舶に曳航され地球上の現在位置が把握されると共に船舶との間で通信を行なう洋上曳航体と、所定の深度の海中に船舶から曳航され海中の湧水、噴出水もしくは漏洩水のデータを収集すると共に収集した湧水もしくは噴出水のデータを送信する水中応答器と、船舶から海中に曳航され水中応答器からの湧水もしくは噴出水のデータを受信すると共に通信ケーブルを介して洋上曳航体に受信データを送信する送受信手段と、通信ケーブルにより送受信手段から洋上曳航体に送られた湧水、噴出水もしくは漏洩水のデータに基づいて海底からの湧水、噴出水もしくは漏洩水の状況を導出する状況導出手段とを備えたことを特徴とする。
【００２５】
請求項８に係る本発明では、所定の深度の海中層に曳航される水中応答器からの湧水、噴出水もしくは漏洩水のデータが送受信手段に送られ、送受信手段から通信ケーブルを介して洋上曳航体に湧水、噴出水もしくは漏洩水のデータが送信され、状況導出手段により所定の海中層の湧水、噴出水もしくは漏洩水の拡散状況を導出する。送受信手段は海中に曳航されているので、船舶のノイズの影響を抑えられ、しかも、海面近傍の波の影響が排除され、安定した状態で二酸化炭素のデータの送受信を行なうことができる。
【００２６】
そして、請求項９に係る本発明の海中の流体検出装置は、請求項８に記載の海中の流体検出装置において、水中応答器には海底からの湧水のラジウムの状態を把握するためのシンチレータが備えられていることを特徴とする。
【００２７】
請求項９に係る本発明では、シンチレータにより海底からの湧水のラジウムの状態を把握することができ、例えば、地殻変動や地下水の状況の類推、地震予知の指標として用いることができる。
【００２８】
また、請求項１０に係る本発明の海中の流体検出装置は、請求項８に記載の海中の流体検出装置において、水中応答器には海底から噴出する熱水の状態を把握するための検出手段が備えられていることを特徴とする。
【００２９】
請求項１０に係る本発明では、検出手段により海底から噴出する熱水の状態を把握することができ、例えば、海底の生物の生態系の把握の類推の指標として用いることができる。
【００３０】
また、請求項１１に係る本発明の海中の流体検出装置は、請求項８に記載の海中の流体検出装置において、水中応答器に備えられた検出手段は、熱水中や湧水中に含まれる二酸化炭素もしくは海底から漏洩する二酸化炭素を検出するためのセンサーであることを特徴とする。
【００３１】
請求項１１に係る本発明では、二酸化炭素を検出するためのセンサーにより熱水中や湧水中に含まれる二酸化炭素もしくは海底から漏洩する二酸化炭素を検出して拡散状況を検出することができる。
【発明の効果】
【００３２】
本発明の海中の二酸化炭素拡散検出装置は、海洋の中層であっても海底から湧き出たり海洋中に隔離された二酸化炭素や二酸化炭素海底下地層貯留により隔離されて漏洩した二酸化炭素の挙動を正確に検出することができる。
【００３３】
また、本発明の海中の流体検出装置は、海洋の中層であっても海底から湧き出たり噴出した流体の挙動を正確に検出することができる。
【発明を実施するための最良の形態】
【００３４】
図１に基づいて海中の二酸化炭素拡散検出装置を説明する。図示の実施形態例は、二酸化炭素散布船から、例えば、１０００ｍ〜３０００ｍ程度の中層に配置した散布手段に二酸化炭素を送り、散布手段から散布される二酸化炭素のプルームの状態（海洋中に隔離された二酸化炭素の状態）を検出する例を挙げて説明してある。
【００３５】
本願発明の二酸化炭素拡散装置は、海洋隔離の二酸化炭素の拡散の検出に限らず、海底から噴出する熱水に含まれる二酸化炭素の拡散の検出や、海底の堆積物中の炭酸塩や有機物を起源とする（背弧海盆等）二酸化炭素の拡散の検出、海水循環の過程で還元される海中水の重炭酸イオンを起源とする二酸化炭素の拡散の検出に適用することができる。また、二酸化炭素を海底の地下貯留層に隔離する二酸化炭素海底下地層貯留によって海底から漏洩した二酸化炭素を検知して二酸化炭素のプルームの状態を検出することに適用することも可能である。
【００３６】
図１には本発明の一実施形態例に係る海中の二酸化炭素拡散検出装置の全体構成、図２にはデータキャリアの概略構成、図３には拡散の観測状況を表す概念を示してある。
【００３７】
図１に基づいて二酸化炭素拡散検出装置の全体構成を説明する。
【００３８】
図に示すように、洋上を航行する船舶１はＧＰＳ２により地球上の現在位置が把握され、各種情報が指令・表示用のＣＰＵ３に表示される。船舶１には所定の深度（例えば、海面の波の影響を受けなくなる深度である２ｍ）の海中に曳航索２１により曳航される曳航体５が備えられ、曳航体５はパラアンカー６によって所定の深度で水平な姿勢が保たれるようになっている。また、曳航体５は、例えば、船舶１から水平距離で約２００ｍ離れた位置に水平姿勢を維持した状態で曳航され、曳航体５の腹部にはデータ受信及びデータ送信を行なう送受信手段としての送受波器９が取り付けられている。
【００３９】
曳航体５の前方側（例えば、水平距離で５ｍ程度前方）の曳航索２１には分岐索２２が接続され、洋上を曳航される洋上曳航体４が分岐索２２に繋がれている。つまり、曳航索２１及び分岐索２２により曳航体５及び洋上曳航体４が船舶１に曳航された状態になっている。洋上曳航体４は船舶１と同様に地球上の現在位置がＧＰＳ２により把握され、船舶１と洋上曳航体４とは無線手段７を介して無線通信が可能となっている。洋上曳航体４は海面での浮力が維持され、海面下にキールの役割を果たすポール８が設けられている。
【００４０】
そして、曳航体５の送受波器９と洋上曳航体４の無線手段７は通信ケーブル３３によって接続されて有線通信が行なわれる。送受波器９で受けた各種データの信号は通信ケーブル３３を介して洋上曳航体４に送られ、無線手段７を介して船舶１のＣＰＵ３に送られるようになっている。
【００４１】
一方、船舶１の後部からは海中にワイヤー１１が下ろされ、ワイヤー１１の先端にはワイヤー１１が長さ方向に亘り所定の範囲の深度（例えば、最大３０００ｍ）を保つと共に所定の範囲での姿勢を保って曳航されるようにするための錘１０が取り付けられている。船舶１により曳航索２１及び分岐索２２を介して曳航体５及び洋上曳航体４が曳航されると共に、ワイヤー１１が所定の深度の範囲の海中を曳航される。
【００４２】
ワイヤー１１には５台のデータキャリア１２（水中応答器）が取り付けられ、５台のデータキャリア１２は、例えば、海中の中層（例えば、１０００ｍ〜３０００ｍ）に維持されるようになっている。詳細は後述するが、データキャリア１２にはデータの信号を音響通信により送信する送信手段や現場計測器、採取手段、データ蓄積手段等が備えられている。
【００４３】
尚、データキャリア１２は５台に限らず２台乃至４台、または、６台以上の複数台を設けることが可能である。
【００４４】
図２に基づいてデータキャリア１２の構成を説明する。
【００４５】
図に示すように、ワイヤー１１には枠状の架台１５が取り付けられ、架台１５にはロープ１６を介して送信手段１７が支持されている。送信手段１７には図示しない深度計が設けられ、送信手段１７は、曳航体５（図１参照）及び洋上曳航体４（図１参照）を介しての船舶１（図１参照）へのデータの送信、曳航体５（図１参照）及び洋上曳航体４（図１参照）を介しての船舶１（図１参照）からの指令の受信を行う。
【００４６】
架台１５の上部にはバルブの遠隔操作による開閉により海水を採取する採水器２６、計測されたデータを記憶する蓄積手段２７、各種機器の電源となるバッテリー２８及びｐＨセンサー２３が備えられている。また、ｐＨセンサー２３を保持する容器には、二酸化炭素の分圧を検出する分圧センサーが備えられている。
【００４７】
図３に示すように、洋上を航行する二酸化炭素散布船１０２には散布手段として二酸化炭素放出装置１０１が接続され、二酸化炭素放出装置１０１は所定の海洋中層（例えば、水深１０００ｍ〜２０００ｍ）の海底に保持されている。二酸化炭素放出装置１０１からは二酸化炭素が放出され、プルーム３１に対してデータキャリア１２を移動させる。即ち、プルーム３１の深さ方向に対しては錘１０により所定の深度にそれぞれデータキャリア１２が所定の深度及び姿勢に維持され、プルーム３１の幅方向に対して船舶１を流れに対して繰り返し横断するように船舶１を航行させ、所定の深度における二酸化炭素の拡散状況を検出する。
【００４８】
船舶１に曳航されるデータキャリア１２との音響通信により、二酸化炭素の拡散の分布・挙動を追跡し、所定の海洋中層における二酸化炭素の希釈・拡散の分布・挙動を導出する。この時、船舶１で曳航体５及び洋上曳航体４を曳航すると共に、錘１０によりデータキャリア１２が所定の海洋中層に維持された状態のワイヤー１１を曳航する。船舶１、洋上曳航体４、データキャリア１２の位置関係はＧＰＳ２によって常時把握されている。
【００４９】
船舶１の航行進路を適宜制御し、データキャリア１２の現場計測器（ｐＨセンサー２３）の情報と連動させて各種機器を動作させてプルーム３１の拡散の分布・挙動を検出する。また、バルブの遠隔操作による開閉により海水を採取する採水器２６により海水を採取したり、現場計測器で計測されたデータを記憶する蓄積手段２７で記憶する。採水器２６により所望の海水の採水を行うことで、生物等の生態系等の調査が実施でき、二酸化炭素の希釈・拡散の指標として用いることも可能である。
【００５０】
プルーム３１の情報は送信手段１７から曳航体５の送受波器９に送られ、送受波器９から通信ケーブル３３を介して洋上曳航体４に送られる。プルーム３１の情報は洋上曳航体４の無線手段７により船舶１のＣＰＵ３に送られ、ＣＰＵ３では二酸化炭素の拡散の分布・挙動が把握され、二酸化炭素の希釈・拡散の分布・挙動が導出される。
【００５１】
上述した海中の二酸化炭素拡散検出装置は、所定の深度の海中層に曳航されるデータキャリア１２の送信手段１７からの二酸化炭素の拡散のデータが曳航体５の送受波器９に送られ、曳航体５の送受波器９から通信ケーブル３３を介して洋上曳航体４に二酸化炭素の拡散のデータが送信される。そして、洋上曳航体４から無線手段７により二酸化炭素の拡散のデータが船舶１に送られて二酸化炭素の希釈・拡散の分布・挙動の状況が導出される。
【００５２】
データキャリア１２の送信手段１７と曳航体５の送受波器９との通信は音響通信で行なわれ、曳航体５は海中に曳航されているので、船舶１のノイズの影響を受けずに、しかも、海面近傍の波の影響が排除されて、安定した状態で二酸化炭素の拡散のデータの送受信を行なうことができる。送受信手段は海中に曳航されているので、船舶のノイズの影響を抑えられ、しかも、海面近傍の波の影響が排除され、安定した状態で送信手段１７と送受波器９との間で二酸化炭素の拡散のデータの送受信を行なうことができる。
【００５３】
このため、海洋の中層であっても海洋の海中に隔離された二酸化炭素の挙動を正確に検出することができる。
【００５４】
また、海底から噴出する熱水に含まれる二酸化炭素、海底の堆積物中の炭酸塩や有機物を起源とする二酸化炭素、海水循環の過程で還元される海中水の重炭酸イオンを起源とする二酸化炭素の検出に適用した場合には、中層であっても海底からの二酸化炭素の挙動を正確に検出することができる。
【００５５】
図４に基づいて海底から噴出する二酸化炭素の挙動を検出する状態を説明する。図４には海底から噴出する二酸化炭素の拡散の観測状況を表す概念を示してある。
【００５６】
図４に示すように、所定の海洋中層（例えば、水深１０００ｍ〜２０００ｍ）の海底（海山）の噴出孔１０５から二酸化炭素が噴出している。噴出孔１０５からの二酸化炭素のプルーム１０６に対してデータキャリア１２を移動させる。即ち、プルーム３１の深さ方向に対しては錘１０により所定の深度にそれぞれデータキャリア１２が所定の深度及び姿勢に維持され、プルーム３１の幅方向に対して船舶１を流れに対して繰り返し横断するように船舶１を航行させ、所定の深度における二酸化炭素の拡散状況を検出する。
【００５７】
そして、散布船から放出される二酸化炭素の検出と同様に、海底の噴出孔１０５から噴出する二酸化炭素の拡散のデータが船舶１に送られて二酸化炭素の希釈・拡散の分布・挙動の状況が導出される。
【００５８】
図５に基づいて二酸化炭素海底下地層貯留によって海底から漏洩する二酸化炭素の挙動を検出する状態を説明する。図５には二酸化炭素海底下地層貯留によって海底から漏洩する二酸化炭素の拡散の観測状況を表す概念を示してある。
【００５９】
図５に示すように、二酸化炭素が海底に注入されて海洋に隔離されることで、所定の深度の海底下の地層に二酸化炭素海底下地層の領域２０１が形成されている。そして、二酸化炭素海底下地層の領域２０１の任意の場所からは海底下の地層に注入された二酸化炭素の一部の二酸化炭素２０２が漏洩している。二酸化炭素海底下地層の領域２０１に対応してデータキャリア１２を移動させる。
【００６０】
これにより、海底下地層に貯留されて二酸化炭素が隔離される二酸化炭素海底下地層貯留によって海底から漏洩する二酸化炭素２０２であっても、漏洩する二酸化炭素２０２の希釈・拡散の分布・挙動の状況を把握することができる。
【００６１】
本発明の海中の流体検出装置は、海中の湧水もしくは噴出水のデータを収集すると共に収集した湧水もしくは噴出水のデータを送信する水中応答器を備えたものである。即ち、水中応答器のセンサーとして、温度計を用いることにより海底から噴出する熱水の拡散状況を検出することができ、更に、ｐＨセンサーを備えることで、熱水に含まれる二酸化炭素の拡散状況を検出することができる。
【００６２】
また、流体検出装置の水中応答器のセンサーとしてシンチレータを用いることで、海中の湧水もしくは噴出水に含まれる放射線、例えば、ラドンの状況を検出することができ、地殻変動の把握や、地震予知の指標として用いることができる。また、地下水の状況の把握の指標として用いることができる。
【００６３】
このため、海洋の中層であっても海底から湧き出たり噴出した流体の挙動を正確に検出することができる。
【産業上の利用可能性】
【００６４】
本発明は、例えば、海洋中層に放出された二酸化炭素の拡散状況を把握するための海中の二酸化炭素拡散検出装置の産業分野で利用することができる。
【００６５】
また、本発明は、例えば、海底からの湧水もしくは噴出水の状態を把握するための海中の流体検出装置の産業分野で利用することができる。
【図面の簡単な説明】
【００６６】
【図１】本発明の一実施形態例に係る海中の二酸化炭素拡散検出装置の全体構成図である。
【図２】データキャリアの概略構成図である。
【図３】拡散挙動の観測状況を表す概念図である。
【図４】海底から噴出する二酸化炭素の拡散挙動の観測状況を表す概念図である。
【図５】二酸化炭素海底下地層貯留によって海底から漏洩する二酸化炭素の拡散の観測状況を表す概念図である。
【符号の説明】
【００６７】
１  船舶
２  ＧＰＳ
３  ＣＰＵ
４  洋上曳航体
５  曳航体
６  パラアンカー
７  無線手段
８  ポール
９  送受波器
１０  錘
１１  ワイヤー
１２  データキャリア
１５  架台
１６  ロープ
１７  送信手段
２１  曳航索
２２  分岐索
２３  ｐＨセンサー
２６  採水器
２７  蓄積手段
２８  バッテリー
３１、１０６  プルーム
３３  通信ケーブル
１０１  二酸化炭素放出装置
１０２  二酸化炭素散布船
１０５  噴出孔
２０１  二酸化炭素海底下地層の領域
２０２  二酸化炭素（漏洩する二酸化炭素）
【図１】
2008191111.tif 000003
【図２】
2008191111.tif 000004
【図３】
2008191111.tif 000005
【図４】
2008191111.tif 000006
【図５】
2008191111.tif 000007